(57)【要約】【課題】追加デバイス、管理用のサーバ等を必要とすることなく、しかもユーザと携帯端末とを関連付ける関連情報等を画像処理装置が保持していなくても、出張先等での使用が可能となる画像処理システム等を提供する。【解決手段】携帯端末１は、複数の画像処理装置２１〜２Ｎの中からジョブ実行対象の装置を特定するための装置特定用操作を決定し、この装置特定用操作の内容を表示手段１５に表示し、装置特定用操作がなされたときに、該操作がなされたことを示す返答情報の返信を前記複数の画像処理装置に要求する。ユーザは、携帯端末に表示された装置特定用操作の内容を見て、その操作を画像処理装置に対して行う。画像処理装置はこれを検出し、返答情報と装置情報を携帯端末に送信する。携帯端末は前記返答情報及び装置情報を受信すると、返答情報等に基づいてジョブ実行対象の画像処理装置を特定する。【選択図】  図４
2013029898.tif 000002
【特許請求の範囲】
【請求項１】
ネットワークを介して接続可能な携帯端末と複数の画像処理装置を備えた画像処理システムであって、
前記携帯端末は、
前記複数の画像処理装置の中から、ジョブ実行対象の画像処理装置を特定するための装置特定用操作を決定する決定手段と、
前記決定手段により決定された装置特定用操作の内容を表示する表示手段と、
前記装置特定用操作がなされたときに、該操作がなされたことを示す返答情報の返信を前記複数の画像処理装置に要求する要求手段と、
を備え、
前記各画像処理装置は、前記装置特定用操作に合致する操作が行われたことを検出する検出手段と、
前記検出手段により、装置特定用操作に合致する操作が行われたことが検出された場合、前記返答情報と自装置を特定するための装置情報を前記携帯端末に送信する送信手段と、
を備え、
前記携帯端末はさらに、画像処理装置からの前記返答情報及び装置情報を受信する受信手段と、
前記受信手段により受信した返答情報及び装置情報に基づいて、ジョブ実行対象の画像処理装置を特定する装置特定手段と、
を備えたことを特徴とする画像処理システム。
【請求項２】
前記携帯端末の決定手段により決定された装置特定用操作は、画像処理装置の所定部位の押下操作である請求項１に記載の画像処理システム。
【請求項３】
前記携帯端末の決定手段により決定された装置特定用操作は、所定文字列の入力である請求項１に記載の画像処理システム。
【請求項４】
ネットワークを介して接続可能な携帯端末と複数の画像処理装置を備えた画像処理システムであって、
前記携帯端末は、
前記複数の画像処理装置のそれぞれに対して、ジョブ実行対象の画像処理装置を特定するための異なる装置特定用表示情報を割り当てる割り当て手段と、
前記複数の画像処理装置に、それぞれ割り当てられた装置特定用表示情報を送信する送信手段と、
を備え、
前記各画像処理装置は、前記携帯端末からの装置特定用表示情報を受信する受信手段と、
前記受信手段により受信された装置特定用表示情報を表示する表示手段と、
を備え、
前記携帯端末はさらに、画像処理装置への装置特定用表示情報の送信後にユーザによって携帯端末に入力された装置特定用表示情報に対応する画像処理装置を、ジョブ実行対象の画像処理装置として特定する装置特定手段と、
を備えたことを特徴とする画像処理システム。
【請求項５】
前記携帯端末は、前記装置特定手段により特定された画像処理装置を、該画像処理装置が特定されたことをユーザが認識可能な態様で表示手段に表示する請求項１〜４のいずれかに記載の画像処理システム。
【請求項６】
ネットワークを介して接続可能な複数の画像処理装置の中から、ジョブ実行対象の画像処理装置を特定するための装置特定用操作を決定する決定手段と、
前記決定手段により決定された装置特定用操作の内容を表示する表示手段と、
前記装置特定用操作がなされたときに、該操作がなされたことを示す返答情報の返信を前記複数の画像処理装置に要求する要求手段と、
画像処理装置から前記返答情報と画像処理装置を特定するための装置情報を受信する受信手段と、
前記受信手段により受信した返答情報及び装置情報に基づいて、ジョブ実行対象の画像処理装置を特定する装置特定手段と、
を備えたことを特徴とする携帯端末。
【請求項７】
前記決定手段により決定された装置特定用操作は、画像処理装置の所定部位の押下操作である請求項６に記載の携帯端末。
【請求項８】
前記決定手段により決定された装置特定用操作は、所定文字列の入力である請求項６に記載の携帯端末。
【請求項９】
ネットワークを介して接続可能な複数の画像処理装置のそれぞれに対して、ジョブ実行対象の画像処理装置を特定するための異なる装置特定用表示情報を割り当てる割り当て手段と、
前記複数の画像処理装置に、それぞれ割り当てられた装置特定用表示情報を送信する送信手段と、
画像処理装置への装置特定用表示情報の送信後にユーザによって入力された装置特定用表示情報に対応する画像処理装置を、ジョブ実行対象の画像処理装置として特定する装置特定手段と、
を備えたことを特徴とする携帯端末。
【請求項１０】
前記装置特定手段により特定された画像処理装置を、該画像処理装置が特定されたことをユーザが認識可能な態様で表示手段に表示する請求項６〜９のいずれかに記載の携帯端末。
【請求項１１】
ネットワークを介して接続可能な携帯端末と複数の画像処理装置を備えた画像処理システムで実行される画像処理装置の特定方法であって、
前記携帯端末は、
前記複数の画像処理装置の中から、ジョブ実行対象の画像処理装置を特定するための装置特定用操作を決定する決定ステップと、
前記決定ステップにおいて決定された装置特定用操作の内容を表示手段に表示する表示ステップと、
前記装置特定用操作がなされたときに、該操作がなされたことを示す返答情報の返信を前記複数の画像処理装置に要求する要求ステップと、
を実行し、
前記各画像処理装置は、前記装置特定用操作に合致する操作が行われたことを検出する検出ステップと、
前記検出ステップにおいて、装置特定用操作に合致する操作が行われたことが検出された場合、前記返答情報と自装置を特定するための装置情報を前記携帯端末に送信する送信ステップと、
を実行し、
前記携帯端末はさらに、画像処理装置からの前記返答情報及び装置情報を受信する受信ステツプと、
前記受信ステップにおいて受信した返答情報及び装置情報に基づいて、ジョブ実行対象の画像処理装置を特定する装置特定ステップと、
を実行することを特徴とする画像処理装置の特定方法。
【請求項１２】
ネットワークを介して接続可能な携帯端末と複数の画像処理装置を備えた画像処理システムで実行される画像処理装置の特定方法であって、
前記携帯端末は、
前記複数の画像処理装置のそれぞれに対して、ジョブ実行対象の画像処理装置を特定するための異なる装置特定用表示情報を割り当てる割り当てステップと、
前記複数の画像処理装置に、それぞれ割り当てられた装置特定用表示情報を送信する送信ステップと、
を実行し、
前記各画像処理装置は、前記携帯端末からの装置特定用表示情報を受信する受信ステップと、
前記受信ステップにおいて受信された装置特定用表示情報を表示手段に表示する表示ステップと、
を実行し、
前記携帯端末はさらに、画像処理装置への装置特定用表示情報の送信後にユーザによって携帯端末に入力された装置特定用表示情報に対応する画像処理装置を、ジョブ実行対象の画像処理装置として特定する装置特定ステップを実行することを特徴とする画像処理装置の特定方法。
【請求項１３】
ネットワークを介して接続可能な複数の画像処理装置の中からジョブ実行対象の画像処理装置を特定するための装置特定用操作を決定する決定ステップと、
前記決定ステップにおいて決定された装置特定用操作の内容を表示手段に表示する表示ステップと、
前記装置特定用操作がなされたときに、該操作がなされたことを示す返答情報の返信を前記複数の画像処理装置に要求する要求ステップと、
画像処理装置から前記返答情報と画像処理装置を特定するための装置情報を受信する受信ステップと、
前記受信ステップにおいて受信した返答情報及び装置情報に基づいて、ジョブ実行対象の画像処理装置を特定する装置特定ステップと、
を、携帯端末のコンピュータに実行させるための画像処理装置の特定プログラム。
【請求項１４】
前記決定ステップにおいて決定された装置特定用操作は、画像処理装置の所定部位の押下操作である請求項１３に記載の画像処理装置の特定プログラム。
【請求項１５】
前記決定ステップにおいて決定された装置特定用操作は、所定文字列の入力である請求項１３に記載の画像処理装置の特定プログラム。
【請求項１６】
ネットワークを介して接続可能な複数の画像処理装置のそれぞれに対して、ジョブ実行対象の画像処理装置を特定するための異なる装置特定用表示情報を割り当てる割り当てステップと、
前記複数の画像処理装置に、それぞれ割り当てられた装置特定用表示情報を送信する送信ステップと、
画像処理装置への装置特定用表示情報の送信後にユーザによって携帯端末へ入力された特定用表示情報に対応する画像処理装置を、ジョブ実行対象の画像処理装置として特定する装置特定ステップと、
を、携帯端末のコンピュータに実行させるための画像処理装置の特定プログラム。
【請求項１７】
前記装置特定ステップにおいて特定された画像処理装置を、該画像処理装置が特定されたことをユーザが認識可能な態様で表示手段に表示するステップを、さらに前記コンピュータに実行させる請求項１３〜１６のいずれかに記載の画像処理装置特定プログラム。
【発明の詳細な説明】
【技術分野】
【０００１】
この発明は、ネットワークを介して接続可能な携帯端末と複数の画像処理装置を備えた画像処理システム、該システムに好適に用いられる携帯端末、画像処理装置の特定方法及び同特定プログラムに関する。
【背景技術】
【０００２】
携帯電話、携帯情報端末等の携帯端末からネットワークを介して画像処理装置にジョブを送信し、該送信されたジョブを画像処理装置に実行させる技術は既に知られている。
【０００３】
この場合、ネットワークに接続されている利用可能な画像処理装置が複数存在していると、ユーザはジョブを実行させる画像処理装置を複数の画像処理装置の中から選択する必要がある。
【０００４】
このような利用可能な画像処理装置の情報は、ネットワーク上での検索により取得でき、検索結果がリスト表示されるが、リスト表示された画像処理装置の情報は機種名やＩＰアドレスであり、ユーザはそれらの情報がどの画像処理装置を示しているかを即座に理解するのは困難である。特に、出張先等のように通常の使用環境ではない場所において、ユーザが近くの画像処理装置を使用したい場合においては、馴染みのない機種名やＩＰアドレスが表示されたとしても、ユーザが使用したい画像処理装置を特定することはさらに困難となる。
【０００５】
なお、特許文献１には、通信装置と画像形成装置との通信を、ブルートゥース（Bluetooth）等の通信エリアが比較的狭い通信方式を用いて行うことで、通信装置の検索手段が、当該通信装置の近くに存在する画像形成装置を検索することにより、画像形成装置を特定する技術が提案されている。ブルートゥースを使う場合にはBDアドレス(Bluetooth Deviceアドレス)を通信範囲内に存在する機器同士で交換することで検索範囲を絞ることができる。
【０００６】
また特許文献２には、携帯端末と画像処理装置の問にマッチングをとるためのサーバがあり、一定時間内に携帯端末と画像処理装置から同じ入力があることで、両者を対応付けることにより画像処理装置を特定する方法が提案されている。
【０００７】
また、特許文献３には、携帯端末上に印刷したい文書情報を表示してその内容を画像処理装置のスキャナで読みとる、または赤外線通信で送ることにより、文書の保存先を画像処理装置が理解して、文書保存サーバからその情報を取得し、印刷する方法が提案されている。
【０００８】
また特許文献４には、携帯端末のGPSデータが登録されている複数の画像処理装置の前記GPSデータに基づいて、携帯端末の位置に該当する画像処理装置を特定する方法が提案されている。
【０００９】
さらに特許文献５には、プリンタを特定するプリンタ番号をバーコードにしてプリンタに貼ってあり、携帯端末からそのバーコードを読み取ることでプリンタを特定する方法が提案されている。
【００１０】
さらに特許文献６には、デフォルトプリンタを特定する方法として下記の手法が提案されている。即ち、認証モードに設定されているプリンタにユーザがログインすると、プリンタがユーサのログイン情報に基づいて、ユーザと関連付けられた携帯端末の情報を取得するとともに、プリンタの操作パネル上に「デフォルトプリンタ設定ボタン」を表示する。ユーザが当該ボタンを押した揚合には、携帯端末に当該プリンタをデフォルトプリンタに指定するように送信し、これに基づいて携帯端末側で前記プリンタをデフォルトプリンタに設定する。
【先行技術文献】
【特許文献】
【００１１】
【特許文献１】特開２００３−１７３２５１号公報
【特許文献２】特開２００６−３５０５８８号公報
【特許文献３】特開２００７−８６９９８号公報
【特許文献４】特開２００９−４２８０７号公報
【特許文献５】特開２０１０−２６２４１４号公報
【特許文献６】特開２００８−１４０１９２号公報
【発明の概要】
【発明が解決しようとする課題】
【００１２】
しかしながら、特許文献１〜５に記載された技術では、ブルートゥース方式の通信装置、赤外線通信装置等の追加デバイスや、プリンタ番号を管理するためのサーバが必要となり、あるいは携帯端末と画像処理装置のマッチングを取ったり、ＧＰＳデータの登録を管理する必要があり、構成が複雑化するという問題があった。
【００１３】
また、特許文献６に記載の技術では、認証によりユーザが特定される必要があり、さらにユーザと携帯端末とを関連付ける関連情報等を保持する必要があるため、出張先等に存在する画像処理装置のように、前記関連情報を持たない画像処理装置についてはこれを使用することができないという問題があった。
【００１４】
この発明は、このような技術的背景に鑑みてなされたものであって、ブルートゥース方式の通信装置や赤外線通信装置等の追加デバイス、管理用のサーバ等を必要とすることなく、しかもユーザと携帯端末とを関連付ける関連情報等を画像処理装置が保持していなくても、出張先等での使用が可能となる画像処理システム、及び該システムに好適に用いられる携帯端末、前記画像処理システムで実行される画像処理装置の特定方法を提供し、さらには携帯端末のコンピュータに画像処理装置特定方法を実行させるための画像処理装置の特定プログラムの提供を課題とする。
【課題を解決するための手段】
【００１５】
上記課題は以下の手段により解決される。
（１）ネットワークを介して接続可能な携帯端末と複数の画像処理装置を備えた画像処理システムであって、前記携帯端末は、前記複数の画像処理装置の中から、ジョブ実行対象の画像処理装置を特定するための装置特定用操作を決定する決定手段と、前記決定手段により決定された装置特定用操作の内容を表示する表示手段と、前記装置特定用操作がなされたときに、該操作がなされたことを示す返答情報の返信を前記複数の画像処理装置に要求する要求手段と、を備え、前記各画像処理装置は、前記装置特定用操作に合致する操作が行われたことを検出する検出手段と、前記検出手段により、装置特定用操作に合致する操作が行われたことが検出された場合、前記返答情報と自装置を特定するための装置情報を前記携帯端末に送信する送信手段と、を備え、前記携帯端末はさらに、画像処理装置からの前記返答情報及び装置情報を受信する受信手段と、前記受信手段により受信した返答情報及び装置情報に基づいて、ジョブ実行対象の画像処理装置を特定する装置特定手段と、を備えたことを特徴とする画像処理システム。
（２）前記携帯端末の決定手段により決定された装置特定用操作は、画像処理装置の所定部位の押下操作である前項１に記載の画像処理システム。
（３）前記携帯端末の決定手段により決定された装置特定用操作は、所定文字列の入力である前項１に記載の画像処理システム。
（４）ネットワークを介して接続可能な携帯端末と複数の画像処理装置を備えた画像処理システムであって、前記携帯端末は、前記複数の画像処理装置のそれぞれに対して、ジョブ実行対象の画像処理装置を特定するための異なる装置特定用表示情報を割り当てる割り当て手段と、前記複数の画像処理装置に、それぞれ割り当てられた装置特定用表示情報を送信する送信手段と、を備え、前記各画像処理装置は、前記携帯端末からの装置特定用表示情報を受信する受信手段と、前記受信手段により受信された装置特定用表示情報を表示する表示手段と、を備え、前記携帯端末はさらに、画像処理装置への装置特定用表示情報の送信後にユーザによって携帯端末に入力された装置特定用表示情報に対応する画像処理装置を、ジョブ実行対象の画像処理装置として特定する装置特定手段と、を備えたことを特徴とする画像処理システム。
（５）前記携帯端末は、前記装置特定手段により特定された画像処理装置を、該画像処理装置が特定されたことをユーザが認識可能な態様で表示手段に表示する前項１〜４のいずれかに記載の画像処理システム。
（６）ネットワークを介して接続可能な複数の画像処理装置の中から、ジョブ実行対象の画像処理装置を特定するための装置特定用操作を決定する決定手段と、前記決定手段により決定された装置特定用操作の内容を表示する表示手段と、前記装置特定用操作がなされたときに、該操作がなされたことを示す返答情報の返信を前記複数の画像処理装置に要求する要求手段と、画像処理装置から前記返答情報と画像処理装置を特定するための装置情報を受信する受信手段と、前記受信手段により受信した返答情報及び装置情報に基づいて、ジョブ実行対象の画像処理装置を特定する装置特定手段と、を備えたことを特徴とする携帯端末。
（７）前記決定手段により決定された装置特定用操作は、画像処理装置の所定部位の押下操作である前項６に記載の携帯端末。
（８）前記決定手段により決定された装置特定用操作は、所定文字列の入力である前項６に記載の携帯端末。
（９）ネットワークを介して接続可能な複数の画像処理装置のそれぞれに対して、ジョブ実行対象の画像処理装置を特定するための異なる装置特定用表示情報を割り当てる割り当て手段と、前記複数の画像処理装置に、それぞれ割り当てられた装置特定用表示情報を送信する送信手段と、画像処理装置への装置特定用表示情報の送信後にユーザによって入力された装置特定用表示情報に対応する画像処理装置を、ジョブ実行対象の画像処理装置として特定する装置特定手段と、を備えたことを特徴とする携帯端末。
（１０）前記装置特定手段により特定された画像処理装置を、該画像処理装置が特定されたことをユーザが認識可能な態様で表示手段に表示する前項６〜９のいずれかに記載の携帯端末。
（１１）ネットワークを介して接続可能な携帯端末と複数の画像処理装置を備えた画像処理システムで実行される画像処理装置の特定方法であって、前記携帯端末は、前記複数の画像処理装置の中から、ジョブ実行対象の画像処理装置を特定するための装置特定用操作を決定する決定ステップと、前記決定ステップにおいて決定された装置特定用操作の内容を表示手段に表示する表示ステップと、前記装置特定用操作がなされたときに、該操作がなされたことを示す返答情報の返信を前記複数の画像処理装置に要求する要求ステップと、を実行し、前記各画像処理装置は、前記装置特定用操作に合致する操作が行われたことを検出する検出ステップと、前記検出ステップにおいて、装置特定用操作に合致する操作が行われたことが検出された場合、前記返答情報と自装置を特定するための装置情報を前記携帯端末に送信する送信ステップと、を実行し、前記携帯端末はさらに、画像処理装置からの前記返答情報及び装置情報を受信する受信ステツプと、前記受信ステップにおいて受信した返答情報及び装置情報に基づいて、ジョブ実行対象の画像処理装置を特定する装置特定ステップと、を実行することを特徴とする画像処理装置の特定方法。
（１２）ネットワークを介して接続可能な携帯端末と複数の画像処理装置を備えた画像処理システムで実行される画像処理装置の特定方法であって、前記携帯端末は、前記複数の画像処理装置のそれぞれに対して、ジョブ実行対象の画像処理装置を特定するための異なる装置特定用表示情報を割り当てる割り当てステップと、前記複数の画像処理装置に、それぞれ割り当てられた装置特定用表示情報を送信する送信ステップと、を実行し、前記各画像処理装置は、前記携帯端末からの装置特定用表示情報を受信する受信ステップと、前記受信ステップにおいて受信された装置特定用表示情報を表示手段に表示する表示ステップと、を実行し、前記携帯端末はさらに、画像処理装置への装置特定用表示情報の送信後にユーザによって携帯端末に入力された装置特定用表示情報に対応する画像処理装置を、ジョブ実行対象の画像処理装置として特定する装置特定ステップを実行することを特徴とする画像処理装置の特定方法。
（１３）ネットワークを介して接続可能な複数の画像処理装置の中からジョブ実行対象の画像処理装置を特定するための装置特定用操作を決定する決定ステップと、前記決定ステップにおいて決定された装置特定用操作の内容を表示手段に表示する表示ステップと、前記装置特定用操作がなされたときに、該操作がなされたことを示す返答情報の返信を前記複数の画像処理装置に要求する要求ステップと、画像処理装置から前記返答情報と画像処理装置を特定するための装置情報を受信する受信ステップと、前記受信ステップにおいて受信した返答情報及び装置情報に基づいて、ジョブ実行対象の画像処理装置を特定する装置特定ステップと、を、携帯端末のコンピュータに実行させるための画像処理装置の特定プログラム。
（１４）前記決定ステップにおいて決定された装置特定用操作は、画像処理装置の所定部位の押下操作である前項１３に記載の画像処理装置の特定プログラム。
（１５）前記決定ステップにおいて決定された装置特定用操作は、所定文字列の入力である前項１３に記載の画像処理装置の特定プログラム。
（１６）ネットワークを介して接続可能な複数の画像処理装置のそれぞれに対して、ジョブ実行対象の画像処理装置を特定するための異なる装置特定用表示情報を割り当てる割り当てステップと、前記複数の画像処理装置に、それぞれ割り当てられた装置特定用表示情報を送信する送信ステップと、画像処理装置への装置特定用表示情報の送信後にユーザによって携帯端末へ入力された特定用表示情報に対応する画像処理装置を、ジョブ実行対象の画像処理装置として特定する装置特定ステップと、を、携帯端末のコンピュータに実行させるための画像処理装置の特定プログラム。
（１７）前記装置特定ステップにおいて特定された画像処理装置を、該画像処理装置が特定されたことをユーザが認識可能な態様で表示手段に表示するステップを、さらに前記コンピュータに実行させる前項１３〜１６のいずれかに記載の画像処理装置特定プログラム。
【発明の効果】
【００１６】
前項（１）に記載の発明によれば、携帯端末は、複数の画像処理装置の中からジョブ実行対象の画像処理装置を特定するための装置特定用操作を決定し、この決定された装置特定用操作の内容を表示手段に表示するとともに、装置特定用操作がなされたときに、該操作がなされたことを示す返答情報の返信を前記複数の画像処理装置に要求する。
【００１７】
ユーザは、携帯端末の表示手段に表示された装置特定用操作の内容を見て、その操作を画像処理装置に対して行う。各画像処理装置は、装置特定用操作に合致する操作が行われたことを検出すると、前記返答情報と自装置を特定するための装置情報を携帯端末に送信する。
【００１８】
携帯端末は、画像処理装置からの前記返答情報及び装置情報を受信すると、これらの返答情報及び装置情報に基づいて、ジョブ実行対象の画像処理装置を特定する。
【００１９】
従って、ユーザがジョブを実行させたい画像処理装置に対して、前記装置特定用操作を行うと、操作が行われた画像処理装置から返答情報と装置情報が携帯端末に送信され、携帯端末はその画像処理装置をジョブ実行対象の画像処理装置として特定するから、ジョブを実行させたい画像処理装置のＩＰアドレスや機種名がわからなくても、画像処理装置を特定できるとともに、ブルートゥース方式の通信装置や赤外線通信装置等の追加デバイス、管理用のサーバを必要とすることなく、簡易な構成でジョブ実行対象の画像処理装置を容易に特定できる。しかも、ユーザと携帯端末とを関連付ける関連情報等も不要であるから、これらの情報を保持していない出張先等の画像処理装置に対しても、ジョブを実行させることができる。
【００２０】
前項（２）に記載の発明によれば、携帯端末の決定手段により決定された装置特定用操作は、画像処理装置の所定部位の押下操作であるから、ユーザがジョブを実行させたい画像処理装置において所定部位を押下することにより、その画像処理装置をジョブ実行対象の画像処理装置として特定できる。
【００２１】
前項（３）に記載の発明によれば、携帯端末の決定手段により決定された装置特定用操作は、所定文字列の入力であるから、ユーザがジョブを実行させたい画像処理装置において前記文字列を入力することにより、その画像処理装置をジョブ実行対象の画像処理装置として特定できる。
【００２２】
前項（４）に記載の発明によれば、携帯端末は、複数の画像処理装置のそれぞれに対して、ジョブ実行対象の画像処理装置を特定するための異なる装置特定用表示情報を割り当てるとともに、前記複数の画像処理装置に、それぞれ割り当てられた装置特定用表示情報を送信する。画像処理装置は携帯端末から送信された装置特定用表示情報を表示手段に表示する。ユーザが、ジョブを実行したい画像処理装置に表示された装置特定用表示情報を確認し、その表示情報と同じ表示情報を携帯端末に入力すると、入力された装置特定用表示情報に対応する画像処理装置が、ジョブ実行対象の画像処理装置として特定される。
【００２３】
このように、ユーザがジョブを実行させたい画像処理装置に表示されている装置特定用表示情報と同じ表示情報を携帯端末に入力すると、装置特定用表示情報に対応する画像処理装置がジョブ実行対象の画像処理装置として特定されるから、ジョブを実行させたい画像処理装置のＩＰアドレスや機種名がわからなくても、画像処理装置を特定できるとともに、ブルートゥース方式の通信装置や赤外線通信装置等の追加デバイス、管理用のサーバを必要とすることなく、簡易な構成でジョブ実行対象の画像処理装置を容易に特定できる。しかも、ユーザと携帯端末とを関連付ける関連情報等も不要であるから、これらの情報を保持していない出張先等の画像処理装置に対しても、ジョブを実行させることができる。
【００２４】
前項（５）に記載の発明によれば、ユーザは画像処理装置が特定されたことを容易に認識することができる。
【００２５】
前項（６）に記載の発明によれば、ユーザがジョブを実行させたい画像処理装置に対して、装置特定用操作を行うと、操作が行われた画像処理装置から返答情報と装置情報が携帯端末に送信され、携帯端末はその画像処理装置をジョブ実行対象の画像処理装置として特定するから、ジョブを実行させたい画像処理装置のＩＰアドレスや機種名がわからなくても、画像処理装置を特定できるとともに、ブルートゥース方式の通信装置や赤外線通信装置等の追加デバイス、管理用のサーバを必要とすることなく、簡易な構成でジョブ実行対象の画像処理装置を容易に特定できる携帯端末となし得る。しかも、ユーザと携帯端末とを関連付ける関連情報等も不要であるから、これらの情報を保持していない出張先等の画像処理装置に対しても、ジョブを実行させることができる。
【００２６】
前項（７）に記載の発明によれば、ユーザがジョブを実行させたい画像処理装置の所定部位を押下することにより、その画像処理装置をジョブ実行対象の画像処理装置として特定できる携帯端末となし得る。
【００２７】
前項（８）に記載の発明によれば、ユーザがジョブを実行させたい画像処理装置に文字列を入力することにより、その画像処理装置をジョブ実行対象の画像処理装置として特定できる携帯端末となし得る。
【００２８】
前項（９）に記載の発明によれば、ユーザがジョブを実行させたい画像処理装置に表示されている装置特定用表示情報を携帯端末に入力すると、入力された装置特定用表示情報に対応する画像処理装置がジョブ実行対象の画像処理装置として特定されるから、ジョブを実行させたい画像処理装置のＩＰアドレスや機種名がわからなくても、画像処理装置を特定できるとともに、ブルートゥース方式の通信装置や赤外線通信装置等の追加デバイス、管理用のサーバを必要とすることなく、簡易な構成でジョブ実行対象の画像処理装置を容易に特定できる携帯端末となし得る。しかも、ユーザと携帯端末とを関連付ける関連情報等も不要であるから、これらの情報を保持していない出張先等に存在する画像処理装置に対しても、ジョブを実行させることができる。
【００２９】
前項（１０）に記載の発明によれば、ユーザに画像処理装置が特定されたことを容易に認識させることができる携帯端末となし得る。
【００３０】
前項（１１）及び（１２）に記載の発明によれば、ジョブを実行させたい画像処理装置のＩＰアドレスや機種名がわからなくても、画像処理装置を特定できるとともに、ブルートゥース方式の通信装置や赤外線通信装置等の追加デバイス、管理用のサーバを必要とすることなく、簡易な構成でジョブ実行対象の画像処理装置を容易に特定できるとともに、ユーザと携帯端末とを関連付ける関連情報等も不要であるから、これらの情報を保持していない出張先等の画像処理装置に対しても、ジョブを実行させることができる。
【００３１】
前項（１３）に記載の発明によれば、ネットワークを介して接続可能な複数の画像処理装置の中からジョブ実行対象の画像処理装置を特定するための装置特定用操作を決定し、決定された装置特定用操作の内容を表示手段に表示し、装置特定用操作がなされたときに、該操作がなされたことを示す返答情報の返信を前記複数の画像処理装置に要求し、画像処理装置から返答情報と画像処理装置を特定するための装置情報を受信し、受信した返答情報及び装置情報に基づいて、ジョブ実行対象の画像処理装置を特定する処理を、携帯端末のコンピュータに実行させることができる。
【００３２】
前項（１４）に記載の発明によれば、ユーザがジョブを実行させたい画像処理装置の所定部位を押下することにより、その画像処理装置をジョブ実行対象の画像処理装置として特定する処理を、携帯端末のコンピュータに実行させることができる。
【００３３】
前項（１５）に記載の発明によれば、ユーザがジョブを実行させたい画像処理装置に前記文字列を入力することにより、その画像処理装置をジョブ実行対象の画像処理装置として特定する処理を、携帯端末のコンピュータに実行させることができる。
【００３４】
前項（１６）に記載の発明によれば、ネットワークを介して接続可能な複数の画像処理装置のそれぞれに対して、ジョブ実行対象の画像処理装置を特定するための複数の異なる装置特定用表示情報を割り当て、前記複数の画像処理装置に、それぞれ割り当てられた装置特定用表示情報を送信し、送信後にユーザによって携帯端末へ入力された特定用表示情報に対応する画像処理装置を、ジョブ実行対象の画像処理装置として特定する処理を、携帯端末のコンピュータに実行させることができる。
【００３５】
前項（１７）に記載の発明によれば、特定された画像処理装置を、該画像処理装置が特定されたことをユーザが認識可能な態様で表示手段に表示する処理を、携帯端末のコンピュータに実行させることができる。
【図面の簡単な説明】
【００３６】
【図１】この発明の一実施形態に係る画像処理システムの構成を示すブロック図である。
【図２】携帯端末の機能的構成を示すブロック図である。
【図３】画像処理装置の機能的構成を示すブロック図である。
【図４】携帯端末と画像処理装置の間での情報のやりとりを示すシーケンス図である。
【図５】（Ａ）は、リストとして保持された使用可能な画像処理装置の情報を、携帯端末の表示部に表示したものであり、同図（Ｂ）はリストを拡大して表示したものである。
【図６】装置特定用操作の内容を携帯端末の表示部に表示した状態の図である。
【図７】ユーザが選択した画像処理装置の情報を表示形態を変えて表示した状態を示す図である。
【図８】ユーザが選択した画像処理装置の情報を単独で表示した状態を示す図である。
【図９】ユーザが所望の画像処理装置に携帯端末から印刷ジョブを実行させたい場合に、携帯端末で実行される画像処理装置の特定処理を示すフローチャートである。
【図１０】ユーザによって押下対象キーが押下された画像処理装置の動作を示すフローチャートである。
【図１１】装置特定用操作の他の例を説明するための図である。
【図１２】この発明の他の実施形態を示すもので、携帯端末と画像処理装置の間での情報のやりとりを示すシーケンス図である。
【図１３】携帯端末に表示された装置特定用表示情報の一例を示す図である。
【図１４】図１２の他の実施形態において、ユーザが所望の画像処理装置に携帯端末から印刷ジョブを実行させたい場合に、携帯端末で実行される画像処理装置の特定処理を示すフローチャートである。
【図１５】同じく画像処理装置の動作を示すフローチャートである。
【発明を実施するための形態】
【００３７】
次に、この発明の実施形態を図面に基づいて説明する。
【００３８】
図１はこの発明の一実施形態に係る画像処理システムの構成を示すブロック図である。
【００３９】
この画像処理システムは、携帯端末１と複数の画像処理装置２１、２２、２３・・・２Ｎが、ＬＡＮ（Local Area Network）等のネットワーク３を介して接続されている。
【００４０】
前記携帯端末１は、携帯電話、携帯情報端末等からなり、ユーザが所持し携行するものである。携帯端末１の機能的構成を図２のブロック図に示す。
【００４１】
携帯端末１は、図２に示すように、ＣＰＵ１１、ＲＯＭ１２、ＲＡＭ１３、記憶部１４、表示部１５ネットワークインターフェース部（ネットワークＩ/F部）１６等を備えている。
【００４２】
ＣＰＵ１１は、ＲＯＭ１２に保存されているプログラムを実行することにより、携帯端末１の全体を統括的に制御する。特に、この実施形態では、複数の画像処理装置２１、２２、・・・２Ｎの中から、ジョブ実行対象の画像処理装置を特定するための装置特定用操作の内容を決定したり、複数の画像処理装置２１、２２、・・・２Ｎのそれぞれに対して、異なる装置特定用表示情報を割り当てたり、ジョブ実行対象の画像処理装置を特定する等の処理を実行するが、この点については後述する。
【００４３】
ＲＯＭ１２は、ＣＰＵ１１が実行するためのプログラムやその他のデータを保存する記憶媒体である。
【００４４】
ＲＡＭ１３は、ＣＰＵ１１が動作用プログラムに従って動作する際の作業領域を提供する記憶媒体である。
【００４５】
記憶部１４は、ハードディスク等の記憶媒体からなり、各種のデータを記憶する。この実施形態では特に、ジョブ実行対象の画像処理装置２１、２２、・・・２Ｎを特定するための複数種類の装置特定用操作情報や、複数の画像処理装置２１、２２、・・・２Ｎのそれぞれに対して割り当てられる複数の装置特定用表示情報等が、記憶部１４に記憶されている。
【００４６】
表示部１５は、種々の画面、データ、メッセージなどを表示するものであり、例えば液晶表示装置等によって形成されている。また、この実施形態では表示部１５はタッチパネルにより形成されることにより入力操作部１５１としての機能も有しており、ユーザが画面をタッチすることで各種の入力や操作指示等を行うことができるものとなされている。
【００４７】
ネットワークインターフェース部（ネットワークＩ／Ｆ部）１６は、画像処理装置２１、２２、・・・２Ｎや他の外部機器との間で、ネットワーク３を介して、データの送受信を行う通信手段として機能する。なお、図示は省略したが、携帯端末１は電話機能も備えている。
【００４８】
図３は、画像処理装置２１、２２、・・・２Ｎの機能的構成を示すブロック図である。なお、画像処理装置２１、２２、・・・２Ｎの構成はいずれも同一であるので、画像処理装置２１の構成を代表して説明する。
【００４９】
画像処理装置２１として、この実施形態では、コピー機能、プリンタ機能、スキャン機能、ファクシミリ機能等の複数の機能を有する多機能デジタル複合機であるＭＦＰ（Multi Function Peripherals）が用いられており、ＣＰＵ２１１と、ＲＯＭ２１２と、ＲＡＭ２１３と、スキャナ部２１４と、記憶部２１５と、プリンタ部２１６と、操作パネル２１７と、ネットワークコントローラ（Ｎ１Ｃ）２１８等を備えている。
【００５０】
なお、以下の説明において、画像処理装置をＭＦＰと記すこともある。
【００５１】
前記ＣＰＵ２１は、ＭＦＰ２１の全体を統括制御し、コピー機能、プリンタ機能、スキャン機能、ファクシミリ機能等の基本機能を使用可能に制御する。また、携帯端末１から通知された装置特定用操作に合致する操作が行われたことを検出した場合には、その旨を示す返答情報や自装置を特定するための装置情報を携帯端末１に送信する。また、携帯端末１から送信された装置特定用表示情報を操作パネル２１７に表示する等の処理を行うが、詳細は後述する。
【００５２】
ＲＯＭ２１２は、ＣＰＵ２１１の動作プログラム等を格納するメモリである。
【００５３】
ＲＡＭ２１３は、ＣＰＵ２１１が動作プログラムに基づいて動作する際の作業領域を提供するメモリである。
【００５４】
スキャナ部２１４は、原稿台（図示せず）に置かれた原稿の画像を読み取り、画像データを出力する読み取り手段である。
【００５５】
記憶部２１５は、例えばハードディスクドライブ（ＨＤＤ）などの不揮発性の記憶デバイスにより構成されており、スキャナ部２１４で読み取られた原稿の画像データや携帯端末１から送信されてきたデータ等が記憶されている。
【００５６】
プリンタ部２１６は、スキャナ部２１４で読み取られた原稿の画像データや形態端末からのプリントデータ等を、指示されたモードに従って印刷するものである。
【００５７】
操作パネル２１７は、各種入力操作等のために使用されるものであり、メッセージや操作画面等を表示するタッチパネル式液晶等からなる表示部２１７ａと、テンキー、スタートキー、ストップキー等のハードキーを備えたキー入力部２１７ｂを備えている。
【００５８】
ネットワークコントローラ２１８は、ネットワーク上の携帯端末１や他のＭＦＰとの間での通信を制御することにより、データの送受信を行うものである。
【００５９】
次に、図１に示した画像処理システムにおいて、ユーザが複数のＭＦＰ２１、２２、・・・２Ｎのうち所望のＭＦＰに携帯端末１からジョブを実行させたい場合に、携帯端末１でそのＭＦＰを特定する方法について、図４の携帯端末１とＭＦＰ２１、２、・・・２Ｎの間での情報のやりとりを示すシーケンス図を基に説明する。
【００６０】
ユーザが携帯端末１の印刷ボタンをクリックすると、携帯端末１はネットワーク３内のＭＦＰをブロードキャストにより検索し、使用可能なＭＦＰの情報を取得し（ステップＳ１）、リストとして保持する（ステップＳ２）。
【００６１】
図５（Ａ）は、前記リストとして保持された使用可能なＭＦＰの情報Ｌ１、Ｌ２、・・・ＬＮを、携帯端末１の表示部１５に表示したものであり、同図（Ｂ）はリストを拡大表示したものである。ネットワーク３の検索の結果、得られたＭＦＰの情報は、図５に示すように機種名やＩＰアドレスであり、これらがリスト表示されてもユーザはどのＭＦＰがどの表示に対応するものかを理解するのは困難である。
【００６２】
そこで、この実施形態では、携帯端末１がジョブ実行対象のＭＦＰを特定するための装置特定用操作を決定するとともに、決定した装置特定用操作の内容を携帯端末１の表示部１５に表示する（ステップＳ３）。
【００６３】
前記装置特定用操作としてこの実施形態では、ＭＦＰ２１、２２、・・・２Ｎにおける所定部位の押下操作である場合を例示している。具体的には、図６に示すように、ＭＦＰの操作パネル２１７の表示部２１７ａに表示されている初期設定画面１００の左下隅部のキー１０１を押下する操作であり、その操作の内容が携帯端末１の表示部１５に表示されている。従って、ユーザはジョブを実施させたいＭＦＰにおいて、操作パネル２１７に表示された初期設定画面１００の左下隅部のキー１０１を押下すればよいことを容易に理解できる。
【００６４】
なお、押下される部位は画面内のキーの他、操作パネル２７１内のボタンや領域であっても良い。押下部位の異なる複数種類のパターンが携帯端末１の記憶部１４に保持され、それらがランダムに抽出され装置特定用操作として決定される。また、決定された装置特定用操作は一回限りであり、複数回ＭＦＰを特定する作業が発生する場合は、装置特定用操作は毎回異なる。また、同時に複数人がＭＦＰの特定を行おうとした場合でも、それぞれの携帯端末１で決定される装置特定用操作の内容は異なるため、該当するＭＦＰが後述の返答情報を返信する携帯端末は１つに限定される。
【００６５】
図４に戻って、携帯端末１はリスト保持されている各ＭＦＰ２１、２２、・・・２Ｎに対して、初期設定画面１００のキー１０１が押下されたときは、その旨を示す返答情報と自装置を特定するための装置情報を送信するように要求する（ステップＳ４）。なお、ネットワーク３に接続されているＭＦＰを検索してその情報をリスト保持するものとしたが、検索を行うことなく、従ってネットワーク３に接続されているＭＦＰの情報を予め保持しておかなくても良い。しかし、この場合はネットワーク３に接続されている全ての情報機器に対して返答情報が要求されることになり、ネットワーク３に負荷をかけることになるため、予めＭＦＰの検索を行った方が良い。
【００６６】
ユーザはジョブを実行させたいＭＦＰ（例えばＭＦＰ２２）において、操作パネル２１７に表示されている初期設定画面１００内のキー１０１を押下すると、ＭＦＰ２２は該キーの押下を検出し（ステップＳ５）、返答情報と装置情報を携帯端末１に送信する（ステップＳ６）。なお、装置情報は例えば機種名やＩＰアドレスである。
【００６７】
返答情報及び装置情報を受信した携帯端末１は、これらの情報に基づいて、ＭＦＰ２２をジョブ実行対象として特定する（ステップＳ７）。また、望ましくは図７（Ｂ）に示すように、ＭＦＰ２２が選択されたことをユーザが認識できるように、リスト表示されたＭＦＰ２２の情報Ｌ２について表示態様を変更する（ステップＳ８）。表示態様の変更としては、太字表示への変更、表示色の変更、リスト最上位への位置変更等を挙げることができる。
【００６８】
なお、図８に示すように、ＭＦＰ２２が選択されたことを示すメッセージ１０３と共にＭＦＰ２２の装置情報１０２を単独で表示部１５に表示することで、ＭＦＰ２２が選択されたことをユーザに認識させても良い。また、ＭＦＰ２２が選択されたことを表示しなくても良いが、ＭＦＰ２２が選択されたことをユーザに認識させる態様で表示した方が、ユーザはＭＦＰが特定されたことを容易に認識することができる点で望ましい。
【００６９】
このように、この実施形態では、ユーザがジョブを実行させたいＭＦＰ２２に対して所定のキー１０１を押下すると、操作が行われたＭＦＰ２２から返答情報と装置情報が携帯端末１に送信され、携帯端末１はそのＭＦＰ２２をジョブ実行対象のＭＦＰとして特定するから、ジョブを実行させたいＭＦＰのＩＰアドレスや機種名をユーザがわからなくても、前記ＭＦＰを特定できるとともに、ブルートゥース方式の通信装置や赤外線通信装置等の追加デバイス、管理用のサーバを必要とすることなく、簡易な構成でジョブ実行対象のＭＦＰを容易に特定できる。しかも、ユーザと携帯端末１とを関連付ける関連情報等も不要であるから、これらの情報を保持していない出張先等のＭＦＰに対しても、ジョブを実行させることができる。
【００７０】
次に、図４〜図８に示した実施形態において、ユーザが複数のＭＦＰ２１、２２、・・・２Ｎのうち所望のＭＦＰに携帯端末１から印刷ジョブを実行させたい場合に、携帯端末１で実行されるＭＦＰ特定処理を、図９のフローチャートを参照して説明する。この処理は、携帯端末１のＣＰＵ１１がＲＯＭ１２等の記録媒体に記録された動作プログラムに従って動作することにより実行される。
【００７１】
ユーザが携帯端末１上で印刷対象のドキュメントを選択または表示し、印刷ボタンをクリックすると、ステップＳ１１でこれを受け付けた後、ステップＳ１２でネットワーク内のＭＦＰを検索し、検索結果のリストを保持する。次いでステップＳ１３で、ＭＦＰ特定用操作を決定する。この実施形態では、ユーザに押下してもらうキーを決定する。
【００７２】
次に、ステップＳ１４で、ＭＦＰ２１、２２、・・・２Ｎに返答情報の要求を送信したのち、ステップＳ１５で、表示部１５に、ＭＦＰの操作パネル２１７の押下対象キーを表示する。
【００７３】
ユーザが表示部１５に表示された押下対象キーを確認し、ジョブを実行させたいＭＦＰに出向いて、操作パネル２１７上の押下対象キーを押下すると、そのＭＦＰは押下対象キーが押下されたことを検出し、返答情報及び装置情報を携帯端末１に送信する。
【００７４】
携帯端末１のＣＰＵ１１は、ステップＳ１６で、ＭＦＰから返答情報及び装置情報の受信するのを待ち（ステップＳ１６でＮＯ）、受信すると（ステップＳ１６でＹＥＳ）、ステップＳ１７で、そのＭＦＰをジョブ実行対象として特定する。次いで、ステップＳ１８で、印刷ジョブを生成し、前記特定されたＭＦＰに印刷ジョブを送信する。
【００７５】
図１０は、ユーザによって押下対象キーが押下されたＭＦＰの動作を示すフローチャートである。
【００７６】
ステップＳ２１で、携帯端末から返答情報の要求を受信したのち、ステップＳ２２で該当キーが押下されたことの検出を行う（ステップＳ２２でＮＯ）。検出されると（ステップＳ２２でＹＥＳ）、ステップＳ２３で、携帯端末１に返答情報及び装置情報を送信する。
【００７７】
上記実施形態では、携帯端末１で決定されユーザに要求する装置特定用操作として、ＭＦＰ２１、２２、・・・２Ｎの所定部位の押下操作である場合を例示したが、装置特定用操作はこれに限定されることはない。
【００７８】
例えば、ランダムな複数の数字等からなる文字列をＭＦＰに入力する操作であっても良い。このような文字列は、ＣＰＵ１１が携帯端末固有の情報や時間等を基に作成する。また、文字列は１回限りの内容であり、ＭＦＰの特定の必要がある度に新たに作成される。
【００７９】
携帯端末１のＣＰＵ１１は、図１１に示すように、入力対象の文字列１０４と、この文字列をＭＦＰの操作パネル２１７から入力することを促すメッセージ１０５を、表示部１５に表示してユーザに操作内容を認識させる。
【００８０】
また携帯端末１は、検索によりリストに情報が保持されている各ＭＦＰ２１、２２、・・・２Ｎに対して、入力対象の文字列１０４が操作パネル２１７から入力されたことを検出したときは、その旨を示す返答情報とＭＦＰを特定するための装置情報を携帯端末１に送信することを要求する。
【００８１】
ユーザが、ジョブを実行させたいＭＦＰの操作パネル２１７から前記文字列を入力すると、入力が行われたＭＦＰがこれを検知し、携帯端末１に返答情報と装置情報を送信する。
【００８２】
携帯端末１はこの返答情報と装置情報を受信し、このＭＦＰをジョブ実行対象のＭＦＰとして特定する。
【００８３】
なお、装置特定用操作が文字列の入力操作である場合の携帯端末１と各ＭＦＰ間のシーケンス、携帯端末１及びＭＦＰ２１、２２、・・・２Ｎの動作、特定されたＭＦＰの表示等は、装置特定用操作の内容が異なる点を除いて図４〜図１０に示したものと同じである。
【００８４】
次に、この発明の他の実施形態を図１２〜図１５を用いて説明する。
【００８５】
この実施形態では、携帯端末１は、各ＭＦＰ２１、２２、・・・２Ｎに対し、装置特定用表示情報として異なる番号をそれぞれ割り当てるとともに、この割り当てた番号情報を基に、ジョブ実行対象のＭＦＰを特定するものである。
【００８６】
この実施形態におけるジョブ実行対象のＭＦＰの特定方法について、図１２の携帯端末１とＭＦＰ２１、２、・・・２Ｎの間での情報のやりとりを示すシーケンス図を基に説明する。
【００８７】
ユーザが携帯端末１の印刷ボタンをクリックすると、携帯端末１はネットワーク３内のＭＦＰをブロードキャストにより検索し、使用可能なＭＦＰの情報を取得し（ステップＳ３１）、リストとして保持する（ステップＳ３２）。
【００８８】
次に、携帯端末１がジョブ実行対象のＭＦＰを特定するための装置特定用の番号を決定するとともに、決定した番号を各ＭＦＰ２１、２２、・・・２Ｎに割り当てる。つまり、決定した番号と各ＭＦＰの機種名、ＩＰアドレスとを関連付けて、その情報を保存しておく（ステップＳ３３）。
【００８９】
次に、携帯端末１は各ＭＦＰ２１、２２、・・・２Ｎに、割り当てた番号情報を番号表示依頼とともに送信する（ステップＳ３４）。
【００９０】
番号情報及び表示依頼を受信した各ＭＦＰ２１、２２、・・・２Ｎは、その番号を操作パネル２１７の表示部２１７ａに表示する（ステップＳ３５）。
【００９１】
また、携帯端末１は、図１３に示すように、各ＭＦＰ２１、２２、・・・２Ｎに割り当てた番号のリストを表示部１５に表示する（ステップＳ３６）。
【００９２】
ユーザはジョブを実行させたいＭＦＰ（例えばＭＦＰ２２）に出向き、操作パネル２１７に表示されている番号を確認し、携帯端末１の表示部１５に表示されている番号リストの中から、前記確認したＭＦＰの番号を選択する。すると、携帯端末１はユーザが選択した番号を基にＭＦＰを特定する。つまり、ユーザによって選択された番号が割り当てられたＭＦＰ２２を、ジョブ実行対象のＭＦＰとして特定する（ステップＳ３７）。また、必要に応じて図７（Ｂ）に示したのと同様に、ＭＦＰ２２が選択されたことをユーザが認識できるように、太字、色変え等によりリスト表示されたＭＦＰ２２の情報Ｌ２について表示形態を変更する（ステップＳ３８）。
【００９３】
なお、図８に示したのと同様に、ＭＦＰ２２が選択されたことを示すメッセージ１０３と共にＭＦＰ２２の装置情報１０２を単独で表示部１５に表示することで、ＭＦＰ２２が選択されたことをユーザに認識させても良い。
【００９４】
このように、この実施形態では、ユーザがジョブを実行させたいＭＦＰの操作パネル２１７に表示されている装置特定用番号と同じ番号を携帯端末１に入力すると、装置特定用番号が割り当てられたＭＦＰがジョブ実行対象のＭＦＰとして特定されるから、ジョブを実行させたいＭＦＰのＩＰアドレスや機種名をユーザがわからなくても、前記ＭＦＰを特定できるとともに、ブルートゥース方式の通信装置や赤外線通信装置等の追加デバイス、管理用のサーバを必要とすることなく、簡易な構成でジョブ実行対象のＭＦＰを容易に特定できる。しかも、ユーザと携帯端末１とを関連付ける関連情報等も不要であるから、これらの情報を保持していない出張先等のＭＦＰに対しても、ジョブを実行させることができる。
【００９５】
なお、上記の実施形態では、装置特定用表示情報として番号を用いたが、番号に限定されることはなく、アルファベット、記号、図形等の他の表示情報であっても良い。このような装置特定用表示情報は、携帯端末１のＣＰＵ１１が、ＭＦＰを特定する必要のある度に、携帯端末固有の情報や時間等を基にランダムに作成し決定する。決定された装置特定用表示情報は一回限りであり、複数回ＭＦＰを特定する作業が発生する場合は、装置特定用表示情報は毎回異なる。
【００９６】
また、携帯端末１の表示部１５に、各ＭＦＰ２１、２２、・・・２Ｎに割り当てた番号のリストを表示し、ユーザがジョブを実行させたいＭＦＰの操作パネル２１７に表示された番号と同じ番号を前記リストから選択する構成としたが、リストを表示することなく、ユーザが番号を携帯端末１に直接入力し、この入力に基づいてＭＦＰを特定しても良い。
【００９７】
次に、図１２及び図１３に示した実施形態において、ユーザが複数のＭＦＰ２１、２２、・・・２Ｎのうち所望のＭＦＰに携帯端末１から印刷ジョブを実行させたい場合に、携帯端末１で実行されるＭＦＰ特定処理を、図１４のフローチャートを参照して説明する。この処理は、携帯端末１のＣＰＵ１１がＲＯＭ１２等の記録媒体に記録された動作プログラムに従って動作することにより実行される。
【００９８】
ユーザが携帯端末１上で印刷対象のドキュメントを選択または表示し、印刷ボタンをクリックすると、ステップＳ４１でこれを受け付けた後、ステップＳ４２でネットワーク内のＭＦＰを検索し、検索結果のリストを保持する。次いでステップＳ４３で、ＭＦＰ２１、２２、・・・２Ｎそれぞれに表示してもらう番号を決定し、それらの番号をＭＦＰ２１、２２、・・・２Ｎに割り当てる。
【００９９】
次に、ステップＳ４４で、ＭＦＰ２１、２２、・・・２Ｎにそれぞれ割り当てた番号情報を送信したのち、ステップＳ４５で、表示部１５に、各ＭＦＰに割り当てた番号のリストを表示する。
【０１００】
ユーザがジョブを実行させたいＭＦＰに出向いて、操作パネル２１７に表示された番号を確認した後、携帯端末１の表示部１５に表示された番号リストから、前記確認した番号を選択すると、携帯端末１のＣＰＵ１１はステップＳ４６で選択操作を受け付け、ステップＳ４７で、選択された番号に対応するＭＦＰをジョブ実行対象として特定する。次いで、ステップＳ４８で、印刷ジョブを生成し、前記特定されたＭＦＰに印刷ジョブを送信する。
【０１０１】
図１５は、携帯端末１から番号情報を送信されたＭＦＰの動作を示すフローチャートである。
【０１０２】
ステップＳ５１で、携帯端末１から番号情報を受信したのち、ステップＳ５２でその番号を操作パネル２１７の表示部２１７ａに表示する。
【符号の説明】
【０１０３】
１      携帯端末
２１、２２、・・・２Ｎ  画像処理装置
３     ネットワーク
１１    ＣＰＵ
１２    ＲＯＭ
１４    記憶部
１５    表示部
【図１】
2013029898.tif 000003
【図２】
2013029898.tif 000004
【図３】
2013029898.tif 000005
【図４】
2013029898.tif 000006
【図５】
2013029898.tif 000007
【図６】
2013029898.tif 000008
【図７】
2013029898.tif 000009
【図８】
2013029898.tif 000010
【図９】
2013029898.tif 000011
【図１０】
2013029898.tif 000012
【図１１】
2013029898.tif 000013
【図１２】
2013029898.tif 000014
【図１３】
2013029898.tif 000015
【図１４】
2013029898.tif 000016
【図１５】
2013029898.tif 000017